(57)【要約】【課題】組立工数の増加、作業性の低下、製品のコストアップを招くことなく完全嵌合時のロック検知を目視で確実に行えるコネクタのロック検知方法とコネクタを提供する。【解決手段】コネクタは相互に嵌合可能な一対のプラグ２とソケット３からなり、何れか一方にロック係合部１１を有するロックバネ８，９を、他方に固定ロック係合部１８を備え、ロックバネ８，９を、コネクタ嵌合動作に伴って固定ロック係合部１８によって弾性変位させた後、コネクタ完全嵌合時に弾性復帰させ、ロックバネのロック係合部１１を固定ロック係合部１８と係合させ、コネクタを完全嵌合状態でロックするロック機構を備える。コネクタ完全嵌合時のロックバネ８，９の弾性復帰によって、ロックバネ８，９に一体化して備えるロック検知用の突起１２が、ソケット３に備えるロック検知孔１９からコネクタ外表面に飛び出し、飛び出した突起１２を視認することによってロック検知する。【選択図】  図７
2006216375.tif 000002
【特許請求の範囲】
【請求項１】
相互に嵌合可能な一対のプラグとソケットからなり、プラグとソケットの何れか一方に片持ち支持の板バネからなりロック係合部を有するロックバネを備えると共に、他方に固定ロック係合部を備え、ロックバネを、プラグとソケットの嵌合動作に伴って固定ロック係合部によって弾性変位させた後、プラグとソケットの完全嵌合時に弾性復帰させることによって、ロックバネのロック係合部を固定ロック係合部と係合させ、プラグとソケットを完全嵌合状態でロックするロック機構を備えたコネクタにおいて、プラグとソケットの完全嵌合時のロックバネの弾性復帰によって、ロックバネに一体化して備えられたロック検知用の突起が、ソケットに備えられたロック検知孔からソケットの外表面に飛び出し、この飛び出した突起を視認することによってロック機構のロックを検知することを特徴とするコネクタのロック検知方法。
【請求項２】
突起がソケットのプラグ挿入口に隣接する２側面からソケットの外表面に飛び出すように、一組のロックバネと固定ロック係合部を２組備え、この飛び出した２つの突起を視認することによってロック機構のロックを検知する請求項１に記載のコネクタのロック検知方法。
【請求項３】
相互に嵌合可能な一対のプラグとソケットからなり、プラグとソケットの何れか一方に片持ち支持の板バネからなりロック係合部を有するロックバネを備えると共に、他方に固定ロック係合部を備え、ロックバネを、プラグとソケットの嵌合動作に伴って固定ロック係合部によって弾性変位させた後、プラグとソケットの完全嵌合時に弾性復帰させることによって、ロックバネのロック係合部を固定ロック係合部と係合させ、プラグとソケットを完全嵌合状態でロックするロック機構を備えたコネクタにおいて、ロックバネにロック検知用の突起を一体化して備えると共に、プラグとソケットの完全嵌合時のロックバネの弾性復帰によってソケットの外表面に突起を飛び出させるためのロック検知孔をソケットに備え、ロック検知孔からソケットの外表面に飛び出した突起を視認することによってロック機構のロックを検知するように構成したことを特徴とするコネクタ。
【請求項４】
ロックバネは、プラグに２つ備えられ、それぞれがプラグ挿入時の前側端部を支点に内側方に向かって弾性変位し外側方に向かって弾性復帰する片持ち支持の板バネからなり、固定ロック係合部は、ソケットに２つ備えられ、それぞれがプラグ挿入口を開口する側面と隣接する２側面から内側方に向かって対向状に突出し、各ロックバネを、プラグとソケットの嵌合動作に伴って固定ロック係合部によって内側方に弾性変位させた後、プラグとソケットの完全嵌合時に弾性復帰させることによって、各ロックバネのロック係合部を固定ロック係合部と係合させ、プラグとソケットを完全嵌合状態でロックするロック機構を構成し、各ロックバネには、先端側から外側方に向かって突出するロック検知用の突起を一体化して備えると共に、プラグとソケットの完全嵌合時の各ロックバネの弾性復帰によって、ソケットの外表面に各突起を飛び出させるためのプラグ挿抜方向に沿って延びるスリット状のロック検知孔をソケットのプラグ挿入口を開口する側面と隣接する２側面に備え、各ロック検知孔から飛び出した２つの突起の視認によってロック機構のロックを検知するように構成した請求項３に記載のコネクタ。
【請求項５】
各ロックバネをプラグの上面に備えると共に、ソケットの左右側部にソケットの下部幅より上部幅を幅狭にする段部を形成し、各段部内に各突起を飛び出させる請求項３に記載のコネクタ。
【請求項６】
各ロックバネをプラグの上面に備えると共に、各ロックバネの先端部をプラグの挿入時の後側の端部より突出させ、プラグを把持するための摘み部を形成する請求項３又は請求項４に記載のコネクタ。
【発明の詳細な説明】
【技術分野】
【０００１】
本発明は、相互に嵌合可能な一対のプラグとソケットからなり、これらを嵌合させることによって電気導通させるコネクタに関し、詳しくは、プラグとソケットが完全嵌合状態で正常にロックされたか否かを検知確認するためのコネクタのロック検知方法とコネクタに関する。
【背景技術】
【０００２】
従来より、プラグとソケットの何れか一方に片持ち支持の板バネからなりロック係合部を有するロックバネを備えると共に、他方に固定ロック係合部を備え、ロックバネを、プラグとソケットの嵌合動作に伴って固定ロック係合部によって弾性変位させた後、プラグとソケットの完全嵌合時に弾性復帰させることによって、ロックバネのロック係合部を固定ロック係合部と係合させ、プラグとソケットを完全嵌合状態でロックするロック機構を備えたコネクタが提供されている。
【０００３】
しかしながら、コネクタにロック機構が備わっていても、正常にロックされたか否かのロック検知を感触のみに頼る構造では、ロック不備のコネクタが見逃され、このロック不備のコネクタは、導通検査で端子間の接触がとれて同検査をパスしても、運送時の振動等によって端子間の接触がなくなってしまう。これが品質保証上の大きな問題となっていた。このような問題を解決するため、ロック検知を目視で行うためのロック検知方法が提案されている。
【０００４】
従来のロック検知方法は、固定ロック係合部を備えるソケットに、固定ロック係合部と近接させてロック検知専用の検知ピースを上下動自在に挿着し、プラグに備えるロックバネの下方撓からの上方への弾性復帰によって、検知ピースを上昇移動させてソケットの外側に上端を自動突出させ、該突出部の顕出によってロック検知するものであった（例えば、「特許文献１」参照。）。
【特許文献１】特許第２５５７７４１号公報
【発明の開示】
【発明が解決しようとする課題】
【０００５】
本発明の解決しようとする課題は、従来のロック検知方法では、ロック検知ピースというロック検知専用の別部品を追加することで、目視によるロック検知を実現しているが、部品追加により組立て工数の増加、作業性の低下、製品のコストアップを招く。また、ロック検知ピースを下降位置と上昇位置に保持するための係止手段を必要とし、ロック検知ピース、それを挿着する検知ピース孔の構造が複雑で、さらなる作業性の低下、製品のコストアップを招く点にある。
【０００６】
本発明の目的は、組立て工数の増加、作業性の低下、製品のコストアップを招くことなく、ロック検知を目視で行うことができるコネクタのロック検知方法とコネクタを提供することにある。
【課題を解決するための手段】
【０００７】
上記の目的を達成するための請求項１に係る発明のコネクタのロック検知方法は、相互に嵌合可能な一対のプラグとソケットからなり、プラグとソケットの何れか一方に片持ち支持の板バネからなりロック係合部を有するロックバネを備えると共に、他方に固定ロック係合部を備え、ロックバネを、プラグとソケットの嵌合動作に伴って固定ロック係合部によって弾性変位させた後、プラグとソケットの完全嵌合時に弾性復帰させることによって、ロックバネのロック係合部を固定ロック係合部と係合させ、プラグとソケットを完全嵌合状態でロックするロック機構を備えたコネクタにおいて、プラグとソケットの完全嵌合時のロックバネの弾性復帰によって、ロックバネに一体化して備えられたロック検知用の突起が、ソケットに備えられたロック検知孔からソケットの外表面に飛び出し、この飛び出した突起を視認することによってロック機構のロックを検知することを特徴とする。
【０００８】
請求項１に係る発明のコネクタのロック検知方法においては、請求項２のように、突起がソケットのプラグ挿入口に隣接する２側面からコネクタの外表面に飛び出すように、一組のロックバネと固定ロック係合部を２組備え、この飛び出した２つの突起を視認することによってロック機構のロックを検知することが望ましい。
【０００９】
また、上記目的を達成するための請求項３に係る発明のコネクタは、相互に嵌合可能な一対のプラグとソケットからなり、プラグとソケットの何れか一方に片持ち支持の板バネからなりロック係合部を有するロックバネを備えると共に、他方に固定ロック係合部を備え、ロックバネを、プラグとソケットの嵌合動作に伴って固定ロック係合部によって弾性変位させた後、プラグとソケットの完全嵌合時に弾性復帰させることによって、ロックバネのロック係合部を固定ロック係合部と係合させ、プラグとソケットを完全嵌合状態でロックするロック機構を備えたコネクタにおいて、ロックバネにロック検知用の突起を一体化して備えると共に、プラグとソケットの完全嵌合時のロックバネの弾性復帰によってソケットの外表面に突起を飛び出させるためのロック検知孔をソケットに備え、ロック検知孔からソケットの外表面に飛び出した突起を視認することによってロック機構のロックを検知するように構成したことを特徴とする。
【００１０】
請求項３に係る発明のコネクタにおいては、請求項４のように、ロックバネは、プラグに２つ備えられ、それぞれがプラグ挿入時の前側端部を支点に内側方に向かって弾性変位し外側方に向かって弾性復帰する片持ち支持の板バネからなり、固定ロック係合部は、ソケットに２つ備えられ、それぞれがプラグ挿入口を開口する側面と隣接する２側面から内側方に向かって対向状に突出し、各ロックバネを、プラグとソケットの嵌合動作に伴って固定ロック係合部によって内側方に弾性変位させた後、プラグとソケットの完全嵌合時に弾性復帰させることによって、各ロックバネのロック係合部を固定ロック係合部と係合させ、プラグとソケットを完全嵌合状態でロックするロック機構を構成し、各ロックバネには、先端側から外側方に向かって突出するロック検知用の突起を一体化して備えると共に、プラグとソケットの完全嵌合時の各ロックバネの弾性復帰によって、ソケットの外表面に各突起を飛び出させるためのプラグ挿抜方向に沿って延びるスリット状のロック検知孔をソケットのプラグ挿入口を開口する側面と隣接する２側面に備え、各ロック検知孔から飛び出した２つの突起の視認によってロック機構のロックを検知するように構成することが望ましい。
【００１１】
また、請求項５のように、各ロックバネをプラグの上面に備えると共に、ソケットの左右側部にソケットの下部幅より上部幅を幅狭にする段部を形成し、各段部内に各突起を飛び出させることが望ましい。
【００１２】
さらに、請求項６のように、各ロックバネをプラグの上面に備えると共に、各ロックバネの先端部をプラグの挿入時の後側の端部より突出させ、プラグを把持するための摘み部を形成することが望ましい。
【発明の効果】
【００１３】
請求項１に係る発明のコネクタのロック検知方法、請求項３に係るコネクタによれば、ロック検知用の突起がロックバネに一体化して備えられ、部品点数の増加がないので、組立て工数の増加、作業性の低下、製品のコストアップを招くことなく、ロック検知を目視で行うことができる。この結果、コネクタの完全嵌合（不完全嵌合）を目視で確実に検知確認することができ、コネクタの品質保証上の問題を、生産性の向上及び製品のコストダウンを図りながら解決することができる。
【００１４】
請求項２に係る発明のコネクタのロック検知方法、請求項４に係る発明のコネクタによれば、ロック検知をソケットの外表面１箇所ではなく２箇所で行うので、例えばプラグとソケットが傾いた状態で嵌合されているにもかかわらずロック検知用の１つの突起がソケットの外表面に飛び出して正常にロックされていると誤認するのを防止でき、信頼性の高いロック検知を行うことができる。また、このような２箇所でのロック検知は、横幅が広いケーブル同士、ケーブルと基板、基板同士の多芯数接続のコネクタに有効である。
【００１５】
請求項４に係る発明のコネクタによれば、プラグ挿抜時にロック検知用の突起先端部をプラグ挿抜方向に沿って延びるスリット状のロック検知孔内に摺動自在に嵌合することによって、ロック検知用の突起がプラグの挿抜ガイドとして機能する。また、プラグが前後逆向きにソケットに挿入された場合には、そのプラグ誤挿入時の前側の端部に存在するロック検知用の突起がソケットと係合するので、ロック検知用の突起がプラグの誤挿入防止の機能を持つ。さらに、請求項３に係る発明のコネクタも同様であるが、ソケットの外表面に飛び出している突起を内側に押し込むことによって、ロックバネを弾性復帰状態から弾性変位させ、ロックバネのロック係合部を固定ロック係合部から離脱させて、ロックを解除することができるので、ロック検知用の突起がロック解除ボタンとして機能する。このように、ロック検知用の突起がロックバネに一体化して備えられていると、そのロック検知用の突起をプラグの挿抜ガイド、誤挿入防止、ロック解除ボタンとして機能させることができ、このロック検知用の突起の多機能化によって、部品点数の増加及び構造を複雑化を招くことなく、コネクタの機能を付加向上させることができる。
【００１６】
請求項５に係る発明のコネクタによれば、ソケットにおける左右側部の段部内でロック検知用の突起を飛び出させるので、コネクタの大型化を招くことなく、ロック検知を目視で行うことができる。また、コネクタ周辺の電子部品にロック検知用の突起が混ざり込むことがないので、ロック検知用の突起の視認性が良好となり、ロック検知を目視でより簡単確実に行うことができる。さらに、ロック検知用の突起を用いてのロック解除が、コネクタ周辺の電子部品が障害になることなく簡単に行うことができる。
【００１７】
請求項６に係る発明のコネクタによれば、例えば親指と人差し指で摘み部を左右外側方から挟むことによって、ロックバネを内側方に弾性変位させた状態、即ちロック解除状態でプラグを把持することができるので、プラグを簡単に挿抜することができ、ロック不備のコネクタを減少させることができると共に、ロック不備のコネクタも簡単に正常化することができ、組立てや導通検査時の作業性を向上させることができる。
【発明を実施するための最良の形態】
【００１８】
以下、本発明の実施形態に係るコネクタを図１〜図６を参照して説明する。なお、以下の説明では特に断りがない場合、図１における矢印ａ−ｂ方向を上下方向（厚さ方向）、矢印ｃ−ｄ方向を左右方向（幅方向）、矢印ｅ−ｆ方向を前後方向（長さ方向＝コネクタの嵌合／分離方向であるプラグ挿抜方向）として説明する。
【００１９】
本実施形態のコネクタ１は、相互に嵌合可能な一対のプラグ２とソケット３で構成されている。
【００２０】
プラグ２は、直方形状に形成された絶縁性のプラグボディ４と導電性の接続端子５で構成されている。この接続端子５はプラグボディ４に圧入又はインサート成形等によって一体化されて取付けられている。プラグボディ４における上面と下面には、プラグボディ４の後側（プラグ挿入時の前側）半部の厚さを前側（プラグ挿入時の後側）半部の厚さより薄くする切欠き６が形成されている。
【００２１】
プラグボディ４の上面には、板バネ体７が一体に形成されて備えられている。この板バネ体７は、平面視の形状が略「ｍ」字形状に形成されており、閉じ側が後方（プラグ挿入方向）に向き、開き側が前方（プラグ抜去方向）に向く姿勢でプラグボディ４の上面中央部に配置されるもので、板バネ体７における中央板バネ片部７ａの前半部（先端側の半部）が、プラグボディ４の切欠き６より前側の肉厚部の上面左右中央部に連続一体に連設され、中央板バネ片部７ａが、プラグボディ４の上面における左右中央部に垂直に立設されて、プラグボディ４の前側の端部から後側の端部まで前後方向（プラグ挿抜方向）に延設されている。また、板バネ体７における左右板バネ片部７ｂ，７ｃは、後側の端部が中央板バネ片部７ａの後側の端部に連続一体に連設され、中央バネ片部７ａの左右外側方にて左右対称にプラグボディ４の後側の端部中央部から前開き傾斜状に延設された後、中央板バネ片７ａと略平行にプラグボディ４の前側の端部まで延設されて、それぞれがプラグボディ４の上面で後側の端部を支点に内側方に向かって弾性変位し外側方に向かって弾性復帰するように構成されている。即ち板バネ体７の左右板バネ片７ｂ，７ｃは、プラグ２の上面に２つ備えられ、それぞれが後側（プラグ挿入時の前側）の端部を支点に内側方に向かって弾性変位し外側方に向かって弾性復帰する片持ち支持の板バネからなるロックバネ８，９を構成している。以降、板バネ片７ｂ，７ｃをロックバネ８，９という。
【００２２】
各ロックバネ８，９における前半部の下縁には、ロックバネ８，９の板幅を後半部よりも前半部を幅狭にする切欠き１０が形成されており、切欠き１０によってプラグボディ４の切欠き６より前側の肉厚部の上面とロックバネ８，９との間にスリット状の隙間が形成されていると共に、切欠き１０によってロックバネ８，９の長さ方向中間部の下縁に形成された前向きの段差がロック係合部１１を構成している。また、各ロックバネ８，９には、ロック検知用の突起１２が一体化して備えられている。このロック検知用の突起１２は、ロックバネ８，９の前側の端部外表面から外側方に向かって水平に突設される爪状の突片で構成されている。
【００２３】
一方、ソケット３は、一側面にプラグ挿入口１３が開口形成され、このプラグ挿入口１３を通して挿入されるプラグ２を収納する収納空間１４が内部に形成されている直方形状の絶縁性のソケットボディ１５と導電性の接続端子１６で構成されている。この接続端子１６も、ソケットボディ１５に圧入又はインサート成形によって一体化されて取付けられている。また、ソケットボディ１５のプラグ挿入口１３を開口形成した一側面と隣接する左右側面には、ソケットボディ１５の上部幅を下部幅よりも幅狭にする上向きの段部１７が全長にわたって形成され、ソケット３をプラグ挿入方向から見たソケットボディ１５の断面外形及びプラグ挿入口１３及びプラグ収納空間１４の形状が凸形状に形成されており、プラグボディ４をプラグ挿入口１３の下部幅広部を通してプラグ収納空間１４の下部幅広部に収納すると共に、板バネ体７をプラグ挿入口１３の上部幅狭部を通してプラグ収納空間１４の上部幅狭部に収納するように構成している。
【００２４】
ソケット３には、各ロックバネ８，９とでプラグ２とソケット３を完全嵌合状態でロックするためのロック機構を構成する２つの固定ロック係合部１８が一体に形成されて備えられている。この固定ロック係合部１８は、ソケットボディ１５の段部１７より上側の左右側面（左右側壁）における長さ方向中間部から内側方に向かって水平対向状に突設される爪状の突片で構成されている。また、ソケット３には、ロック検知用の突起１２をソケット３の外表面（コネクタ１の外表面）に飛び出させるための２つのロック検知孔１９が備えられている。このロック検知孔１９は、ソネットボディ１５の段部１７より上側の左右側面における前側の端部から後方（プラグ挿入方向）に向かって延びるソケットボディ１５の内外に貫通する前後方向（プラグ挿抜方向）のスリットで構成されている。
【００２５】
なお、固定ロック係合部１８の突出長とロック検知用の突起１２の突出長は、固定ロック係合部１８によってロックバネ８，９を内側方に向かって弾性変位させた時、突起１２先端部がロック検知孔１９内に摺動自在に嵌合するように設定されている。
【００２６】
以上のように構成されているプラグ２とソケット３を嵌合する際には、図１，図２に示すように、プラグ２を前後方向及び表裏方向を正規の方向に向けた正規挿入姿勢でソケット３のプラグ挿入口１３に挿入すると、プラグボディ４がプラグ挿入口１３の下部幅広部を通してプラグ収納空間１４の下部幅広部の内部へと挿入されると共に、板バネ体７がプラグ挿入口１３の上部幅狭部を通してプラグ収納空間１４の上部幅狭部の内部へと挿入され、プラグ２側の接続端子５とソケット３側の接続端子１６が接触導通して電気的に接続される。このプラグ２の挿入（プラグ２とソケット３の嵌合動作）に伴って、プラグ２側の各ロックバネ８，９がソケット３側の各固定ロック係合部１８によって押圧されて内側方に弾性変位し、ロック検知用の突起１２が、その先端部をソケット３側のロック検知孔１９に摺動自在に嵌合した状態で、プラグ収納空間１４の上部幅狭部の内部に収容されて隠される。さらにプラグ２をソケット２に挿入すると、図３，図４に示すように、プラグボディ４の後側の端部がプラグ収納空間１４の最奥部でソケットボディ１５のプラグ挿入口１３を開口形成した側面と反対側の側面（側壁）に突き当たり、それ以上の挿入が規制され、これと同時に、各ロックバネ８，９の切欠き１０が各固定ロック係合部１８に対応し、各ロックバネ８，９が外側方に向かって自動的に弾性復帰し、各ロックバネ８，９の前側の端部がソケットボディ４の上部幅狭部の内側面に圧着することによって、各ロックバネ８，９のロック係合部１１が各固定ロック係合部１８と係合し、プラグ２の完全挿入位置からの抜止めが行われ、プラグ２がソケット３に対して完全挿入状態でロックされ、プラグ２とソケット３が完全嵌合状態でロックされる。
【００２７】
また、以上のようにプラグ２とソケット３が完全嵌合状態でロックされると、図３，図４に示すように、ロック検知用の突起１２が、各ロックバネ８，９の弾性復帰によってロック検知孔１９からソケットボディ１５における左右側部の段部１７内でソケット３の外表面に飛び出し、この飛び出した２つのロック検知用の突起１２を視認することによって、プラグ２がソケット３に対して完全挿入状態で正常にロックされていることを検知確認することができ、このロック検知によってプラグ２とソケット３が完全嵌合状態であることを検知確認することができる。
【００２８】
一方、図５，図６に示すように、プラグ２のソケット３に対する挿入量が不足している不完全挿入時には、各ロックバネ８，９が各固定ロック係合部１８によって内側方に向かって弾性変位しているので、ロック検知用の突起１２は、プラグ収納部１４の上部幅狭部の内部に収容保持され、ソケット３の外表面への飛び出しがなく、このロック検知用の突起１２のソケット３の外表面への不突出を視認することによって、プラグ２がソケット３に対して不完全挿入状態で正常にロックされていないこと（ロック不備）を検知確認することができ、このロック不備検知によってプラグ２とソケット３が不完全嵌合状態であることを検知確認することができる。
【００２９】
完全嵌合状態のプラグ２とソケット３を分離する際には、例えば親指と人差し指でソケットボディ１５の上部幅狭部を左右外側方から挟むようにして、ロック検知孔１９からソケットボディ１５における左右側部の段部１７内でソケット３の外表面に飛び出しているロック検知用の突起１２を、プラグ収納部１４の上部幅狭部の内部に押し込むことによって、各ロックバネ８，９を弾性復帰状態から内側方に強制的（人為的）に弾性変位させ、各ロックバネ８，９のロック係合部１１を各固定ロック係合部１８から離脱させ、ロックを解除することができる。このロック解除状態でプラグ２をソケット３から引取ることによって、プラグ２とソケット３を容易に分離することができる。
【００３０】
以上のように本実施形態のコネクタ１は、ロックバネ８，９に一体化して備えられたロック検知用の突起１２のソケット３外表面への飛び出し（突出）・不突出を視認することによって、プラグ２とソケット３が完全嵌合状態で正常にロックされたか否かの検知確認を目視で確実に行うことができる。そして、ロック検知用の突起１２がロックバネ８，９に一体化して備えられ、部品点数の増加がないので、コネクタ１の組立て工数の増加、作業性の低下、製品のコストアップを招くことがない。
【００３１】
また、ロック検知をソケット３の外表面１箇所ではなく２箇所で行うので、例えばプラグ２とソケット３が傾いた状態で嵌合されているにもかかわらずロック検知用の１つの突起７又は８がソケット３の外表面に飛び出して正常にロックされていると誤認するのを防止でき、信頼性の高いロック検知を行うことができる。
【００３２】
ロックバネ８，９に一体化して備えられたロック検知用の突起１２は、上記のように完全嵌合状態のプラグ２とソケット３を分離する際のロック解除ボタンとして機能するだけでなく、プラグ２の挿抜時には、突起１２先端部がプラグ挿抜方向に沿って延びるスリット状のロック検知孔１９に摺動自在に嵌合して、プラグ２を挿抜方向にガイドし、プラグ２の挿抜ガイドとしても機能し、また、プラグ２が前後逆向きにソケット３に挿入された場合には、そのプラグ誤挿入時の前側の端部に存在するロック検知用の突起１２がソケットボディ１５における上部幅狭部の左右側面（側壁）と挿入方向で係合するので、プラグ２の誤挿入防止の機能も持つ。このように、ロック検知用の突起１２が各ロックバネ８，９に一体化して備えられていると、そのロック検知用の突起１２をロック検知の他、上記のようなロック解除ボタン、挿抜ガイド、誤挿入防止として機能させることができ、このロック検知用の突起１２の多機能化によって、部品点数の増加及び構造を複雑化を招くことなく、コネクタ１の機能を付加向上させることができる。
【００３３】
さらに、ロックバネ８，９に一体化して備えられたロック検知用の突起１２は、ロック検知孔１９からソケットボディ１５における左右側部の段部１７内でソケット３の外表面に飛び出させるので、コネクタ１の大型化を招くことなく、ロック検知を目視で行うことができる。また、ソケット３が基板に実装されている場合、ソケット３の周囲の電子部品にロック検知用の突起１２が混ざり込むことがないので、ロック検知用の突起１２の視認性が良好で、ロック検知を目視でより簡単確実に行うことができる。さらに、ロック検知用の突起１２を用いてのロック解除が、ソケット３の周辺の電子部品が障害になることなく、簡単に行うことができる。
【００３４】
次に、図７〜図１２を参照して本発明の実施形態に係る他のコネクタ１００を説明する。なお、図１〜図６に示したコネクタ１と同一部分には同一符号を付し、その詳しい説明を省略し、相違する部分について説明する。
【００３５】
他のコネクタ１００は、プラグ２の板バネ体７における中央板バネ片部７ａ及び各ロックバネ８，９がそれぞれ、前側の端部（先端部）がプラグ２の前側の端部より前方（プラグ抜去方向）に突出する長さに形成され、プラグ２とソケット３の完全嵌合時に、中央板バネ片部７ａ及び左右ロックバネ８，９の前側の端部をソケット３のプラグ挿入口１３から突出させるように構成されている。
【００３６】
また、中央板バネ片部７ａの前半部の上縁には、中央板バネ片部７ａの板幅を後半部よりも前半部を幅広にする中央突片部２０が一体に形成されると共に、ソケットボディ１５の天面における左右中央部には、前側の端部から後方（プラグ挿入方向）に向かって延びるソケットボディ１５の内外に貫通する前後方向（プラグ挿抜方向）のスリットからなるガイド孔２１が形成されており、プラグ挿抜時に、中央突片部２０をガイド孔２１内に摺動自在に嵌合させることによって、中央突片部２０がプラグ２を挿抜方向にガイドし、プラグ２の挿抜ガイドとして機能する。そして、ロック検知用の突起１２は、プラグ２とソケット３を上下方向で位置決めしてプラグ２を挿抜方向にガイドし、中央突片部２０は、プラグ２とソケット３を左右方向で位置決めしてプラグ２を挿抜方向にガイドし、ロック検知用の突起１２と中央突片部２０によって、プラグ２とソケット３の上下及び左右方向のガタツキが抑えられて、プラグ２の挿抜、即ちプラグ２とソケット３の嵌合／分離が、一層円滑に行えるようになっている。
【００３７】
さらに、各ロックバネ８，９のプラグ２の前側の端部より前方（プラグ抜去方向）に突出する前側の突出端部上縁には、各ロックバネ８，９の前側の突出端部の板幅をそれより後側の板幅より幅広にする左右突片部２２が一体に形成され、各ロックバネ８，９のプラグ２の前側の端部より前方（プラグ抜去方向）に突出する前側の突出端部に、上部に突片部２２を連続一体に連設する摘み部２３が形成されており、例えば親指と人差し指で摘み部２３を左右外側方から挟むことによって、ロックバネ８，９を内側方に弾性変位させた状態、即ちロック解除状態でプラグ２を把持することができるので、プラグ２を簡単に挿抜、即ちプラグ２とソケット３を嵌合／分離することができ、ロック不備のコネクタ１００を減少させることができると共に、ロック不備のコネクタ１００も簡単に正常化することができ、組立てや導通検査時の作業性を向上させることができる。そして、ロック検知用の突起１２と摘み部２２による２種類のロック解除ボタンは、コネクタ１００の種類や実装形態によって使い分けることができ、利便性に優れる。また、摘み部２２は、上部に突片部２３が連続一体に連設されているので、摘み易い上に、プラグ２が前後逆向きにソケット３に挿入された場合には、そのプラグ誤挿入時の前側の端部に存在する摘み部２２がソケットボディ１５における天面と挿入方向で係合するので、プラグ２の誤挿入防止の機能も持つ。このため、ロック検知用の突起１２と摘み部２２によって２重の誤挿入防止の機能を持つことができる。
【図面の簡単な説明】
【００３８】
【図１】本発明の実施形態に係るコネクタの嵌合前の外観斜視図である。
【図２】図１の要部断面底面図である。
【図３】図１のコネクタの完全嵌合時の外観斜視図である。
【図４】図３の要部断面底面図である。
【図５】図１のコネクタの不完全嵌合時の外観斜視図である。
【図６】図５の要部断面底面図である。
【図７】本発明の実施形態に係る他のコネクタの嵌合前の外観斜視図である。
【図８】図７の要部断面底面図である。
【図９】図７のコネクタの完全嵌合時の外観斜視図である。
【図１０】図９の要部断面底面図である。
【図１１】図７のコネクタの不完全嵌合時の外観斜視図である。
【図１２】図１１の要部断面底面図である。
【符号の説明】
【００３９】
１，１００  コネクタ
２  プラグ
３  ソケット
５  接続端子
８，９  ロックバネ
１１  ロック係合部
１２  ロック検知用の突起
１６  接続端子
１７  段部
１８  固定ロック係合部
１９  ロック検知孔
２２  摘み部
【図１】
2006216375.tif 000003
【図２】
2006216375.tif 000004
【図３】
2006216375.tif 000005
【図４】
2006216375.tif 000006
【図５】
2006216375.tif 000007
【図６】
2006216375.tif 000008
【図７】
2006216375.tif 000009
【図８】
2006216375.tif 000010
【図９】
2006216375.tif 000011
【図１０】
2006216375.tif 000012
【図１１】
2006216375.tif 000013
【図１２】
2006216375.tif 000014